(57)【特許請求の範囲】
【請求項１】
複数のケースから構成され、当該複数のケースの間に設けられた空間に光源が設けられている筐体構造であって、
前記空間に、前記複数のケースのうちの一のケースに固定され他のケースを補強する補強部材が設けられており、
この補強部材に切欠部が形成されており、
前記光源は、前記切欠部内に設けられており、
前記光源の光は、前記切欠部の壁面で遮光され、当該壁面に沿って導出され、
前記補強部材は、前記他のケースに密着しており、
前記他のケースには、前記切欠部内に連通し前記光源の光を前記筐体外に導出させる開口部が形成されていることを特徴とする筐体構造。
【請求項２】
前記複数のケース内に前記一のケースとしての中ケースを備え、
前記補強部材の両端が前記中ケースに固定されていることを特徴とする請求項１に記載の筐体構造。
【請求項３】
前記切欠部から前記光源の光を導出させる導光部材が設けられていることを特徴とする請求項１または２に記載の筐体構造。
【請求項４】
前記切欠部には、前記光源が照光する方向に面した斜面部が形成されていることを特徴とする請求項１から３のいずれか一項に記載の筐体構造。
【請求項５】
前記切欠部の周囲には、光を反射する反射部が設けられていることを特徴とする請求項１から４のいずれか一項に記載の筐体構造。
【請求項６】
請求項１から５のいずれか一項に記載の筐体構造を備えることを特徴とする電子機器。
【発明の詳細な説明】
【技術分野】
【０００１】
本発明は、複数のケースから構成され、複数のケースの間に設けられた空間に光源が設けられた筐体構造と、その筐体構造を備える電子機器に関する。
【背景技術】
【０００２】
携帯電子機器のケースにおいて、その強度を上げるために、ケースにリブを設けることが行われる（例えば特許文献１参照）。
また、携帯電話の表示装置において、光を遮りたい場合に遮光部材を設けることが行われる（例えば特許文献２参照）。
【先行技術文献】
【特許文献】
【０００３】
【特許文献１】特開２００５−３０３２３９号公報
【特許文献２】特開２００６−１５４００８号公報
【発明の概要】
【発明が解決しようとする課題】
【０００４】
以上、ケースの強度を上げるため、そして、遮光するためには、特許文献１、２に示したように、リブ等の補強する部材と、遮光する部材をそれぞれ設ける必要があった。
【０００５】
本発明の課題は、ケースを補強する部材と、遮光する部材とを一体部品化して、部品点数を削減するとともに、小型化することである。
【課題を解決するための手段】
【０００６】
本発明の第１の観点に係る筐体構造は、
複数のケースから構成され、当該複数のケースの間に設けられた空間に光源が設けられている筐体構造であって、
前記空間に、前記複数のケースのうちの一のケースに固定され他のケースを補強する補強部材が設けられており、
この補強部材に切欠部が形成されており、
前記光源は、前記切欠部内に設けられており、
前記光源の光は、前記切欠部の壁面で遮光され、当該壁面に沿って導出され、
前記補強部材は、前記他のケースに密着しており、
前記他のケースには、前記切欠部内に連通し前記光源の光を前記筐体外に導出させる開口部が形成されている。
【０００７】
本発明の第２の観点に係る電子機器は、上記の筐体構造を備える。
【発明の効果】
【０００８】
本発明によれば、ケースを補強する部材と、遮光する部材とを一体化できるため、部品点数を削減しつつ、小型化も図れる。
【図面の簡単な説明】
【０００９】
【図１】本発明を適用した電子機器の一実施形態の構成を示すもので、携帯電話の消灯時を示した平面図（ａ）と、点灯時を示した平面図（ｂ）である。
【図２】図１の上筐体の分解斜視図である。
【図３】図２の下ケース及び中ケースと補強部材の拡大図である。
【図４】図３の下ケース及び中ケースと補強部材を組み付けた状態を示した平面図である。
【図５】図２の上ケースの拡大したもので、カバーを外した状態を示した図である。
【図６】図５の上ケースを内面側から示した斜視図である。
【図７】図２の上ケースから外したカバーとともに、内部の照光部及び導光部材を示した斜視図である。
【図８】図７の照光部及び導光部材の配置状態を示した図である。
【発明を実施するための形態】
【００１０】
以下、図を参照して本発明を実施するための形態を詳細に説明する。
（実施形態）
図１は本発明を適用した電子機器の一実施形態の構成として携帯電話を示したもので、上筐体１と下筐体２は、二軸ヒンジ部３を介して結合されており、この二軸ヒンジ部３により縦方向に開閉自在で横方向にも開閉自在となっている。
【００１１】
そして、上筐体１の一側部に沿って、二軸ヒンジ部３のカバー４が一体に組み付けられている。このカバー４には、図示例では下側先端部のロゴによる上面開口部４１と左側に沿ったスリットによる側面開口部４２が形成されている。これらのロゴによる上面開口部４１とスリットによる側面開口部４２は、図１（ｂ）に示すように、照光可能となっている。
【００１２】
図２は上筐体１を構成するケース及びカバー４を示したもので、上筐体１は、上ケース５、下ケース６及び中ケース７から構成され、中ケース７に補強部材８が組み付けられて、上ケース５と下ケース６及び中ケース７がビス止め結合されている。実施形態において、上ケース５及び下ケース６は樹脂製、中ケース７はマグネシウム合金等の金属製、補強部材８は樹脂製である。
【００１３】
補強部材８は、白色樹脂により板状部材として成形され、図３及び図４にも拡大して示すように、その左右両側部に一対の係止片８１がそれぞれ備えられて、各係止片８１に係止孔８２がそれぞれ形成されている。補強部材８には、図示右側部に光源を囲んで光を導出させる遮光兼反射用切欠部８４が形成されて、他の部分に電子部品用切欠部８６・８７及び一対の突片部８８等が形成されている。
【００１４】
また、上ケース５のカバー４の組付部にも、図５に示すように、遮光兼反射用切欠部５４が形成されている。この遮光兼反射用切欠部５４は、補強部材８の遮光兼反射用切欠部８４と略対応する形状をなしている。なお、上ケース５は、図６に示すように、その内面に補強用のリブを設けないものとなっている。
【００１５】
遮光兼反射用切欠部８４は、白色樹脂による補強部材８につき、その周囲が光源からの光を反射する反射部となっている。そして、遮光兼反射用切欠部８４の一端部には、斜面部８５が形成されている。
なお、遮光兼反射用切欠部８４について、図示例では、全周を囲む開口部としたが、一部を開放しても良い。
【００１６】
そして、中ケース７の左右両側壁部の外側面には、一対の係止突起７２がそれぞれ備えられている。この係止突起７２が、補強部材８の係止片８１の係止孔８２にそれぞれ係止する。これら係止突起７２及び係止孔８２の係止により補強部材８が中ケース７に左右両端で固定される。この補強部材８は、上ケース５の内面に密着状態となる。
【００１７】
また、上筐体１の中ケース７と上ケース５のカバー４との間には、光源としてのＬＥＤ（Light Emitting Diode：発光ダイオード）９と、図７及び図８に示すように、カバー４の上面開口部４１及び側面開口部４２に対応したロゴによる第１の照光部１１、及びスリット状の細長い第２の照光部２１と、ＬＥＤ９の光を第１の照光部１１に導光する第１の導光部材１０と、ＬＥＤ９の光を第１の導光部材１１を経て第２の照光部２１に導光する第２の導光部材２０とが配置されている。
【００１８】
ＬＥＤ９は、着信を例えば７色等の発光色で順次点灯して報知するもので、図３及び図４に示すように、中ケース７内において、基板上に搭載されて、第１の導光部材１０及び第２の導光部材２０に対し光軸を所定角度傾けて配置されている。これにより、スリット状の細長い第２の照光部２１に対し光を斜めに当てて先端まで照光する。
【００１９】
第１の導光部材１０は、例えば透明樹脂に光拡散材を混入した乳白色のもので、その上面にロゴによる第１の照光部１１を一体に成形して、底面には、光を反射させるためにブラスト処理を施している。
第２の導光部材２０は、例えば透明樹脂に光拡散材を混入して上筐体１の色に合わせて着色したもので、その左上部に傾斜面による細長い第２の照光部２１を一体に成形している。
【００２０】
以上において、上筐体１の上ケース５の一側部に沿った二軸ヒンジ部３のカバー４の下側先端部のロゴによる上面開口部４１に、第１の導光部材１０の上面のロゴによる第１の照光部１１が位置して、同じくカバー４の左側に沿ったスリットによる側面開口部４２に、第２の導光部材２０の左上部の傾斜面による細長い第２の照光部２１が位置している。
【００２１】
また、ＬＥＤ９と第１の導光部材１０は、補強部材８の遮光兼反射用切欠部８４内に配置される。第２の導光部材２０は、第１の導光部材１０側の基端部が遮光兼反射用切欠部８４内に配置されるとともに、基端部から先端部側に向かう一部分が補強部材８上に配置されている。なお、遮光兼反射用切欠部８４の斜面部８５に対応して第２の導光部材２０の斜面部２５が当接している。
【００２２】
そして、着信によりＬＥＤ９が、例えば７色等の発光色で順次点灯すると、第１の導光部材１０を通った光でその上面のロゴによる第１の照光部１１が発光する。従って、図１（ｂ）に示すように、ロゴによる上面開口部４１から発光する。
同時に、第１の導光部材１０を経て第２の導光部材２０を通った光でその左上部の傾斜面による細長い第２の照光部２１が発光する。従って、図１（ｂ）に示すように、スリットによる側面開口部４２から発光する。
【００２３】
以上、実施形態の筐体構造を備える携帯電話によれば、上筐体１の補強部材８に光源のＬＥＤ９を囲んで光を導出させる遮光兼反射用切欠部８４を形成して、中ケース７に補強部材８の両端部を係止突起７２及び係止孔８２の係止により固定して、補強部材８を上ケース５に密着させたことで、上ケース５の補強部材８に遮光兼反射部材を一体化できるため、部品点数を削減しつつ、小型化も図れる。
【００２４】
しかも、補強部材８を上ケース５に密着させることで、遮光兼反射用切欠部８４からの光の漏れを防ぐとともに、薄型化が図れる。
【００２５】
また、中ケース７に補強部材８の両端部を固定するようにしたことにより、補強部材８の基板上面を十分に活用できるため、補強部材８と基板上の電子部品とを積層させたり、補強部材８を切り欠いて、その切り欠き内に基板上の電子部品を配置することなどができ、補強部材８によって電子部品を保護することができる。
【００２６】
そして、補強部材８の遮光兼反射用切欠部８４からＬＥＤ９の光を導出させる第１の導光部材１０及び第２の導光部材２０を設けたことで、第１の照光部１１及び第２の照光部２１への導光が効率的に行える。
【００２７】
しかも、遮光兼反射用切欠部８４には、ＬＥＤ９が照光する方向の斜面部８５を形成したことで、遮光兼反射用切欠部８４内に配置した第２の導光部材２０における第１の導光部材１０側の基端部から、傾斜面８５に対応する斜面部２５を経て第２の導光部材２０の先端部側に向かう導光作用が得られる。従って、第２の照光部２１を効率良く照光させることができる。
【００２８】
また、遮光兼反射用切欠部８４の周囲は、白色樹脂による補強部材８につき、ＬＥＤ９からの光を反射する反射部となっているので、第１の照光部１１及び第２の照光部２１をより効率良く照光させることができる。
【００２９】
（変形例）
なお、以上の実施形態においては、携帯電話としたが、本発明はこれに限定されるものではなく、携帯電話以外にカメラ、ＰＤＡ、ノートパソコン、ウェアラブルパソコン、電卓、電子辞書など、光源を筐体内に備えた電子機器すべてに用いることができる。
また、実施形態では、ＬＥＤを光源としたが、光源としては他に適宜のものを採用しえる。
さらに、切欠部の形状や補強部材の形状についても任意のものを採用しえる。
【００３０】
また、導光部材は実施形態のように別体でなくとも、一体成形されたものであっても良い。
そして、照光部及び導光部材の形状等も任意であり、その他、具体的な細部構造等についても適宜に変更可能であることは勿論である。
【００３１】
上記の実施形態の一部又は全部は、以下の付記のようにも記載されうるが、以下には限られない。
【００３２】
（付記１）
複数のケースからなる筐体内に光源が設けられた筐体構造であって、
前記複数のケースの間に、前記筐体を補強するための補強部材を設け、
この補強部材に、前記光源を囲んで光を導出させる切欠部を形成して、
前記複数のケースのうちの一のケースに前記補強部材を固定したことを特徴とする筐体構造。
【００３３】
（付記２）
前記補強部材を他のケースに密着させたことを特徴とする付記１に記載の筐体構造。
【００３４】
（付記３）
前記複数のケース内に中ケースを備え、
前記補強部材の両端が前記中ケースに固定されることを特徴とする付記１または２に記載の筐体構造。
【００３５】
（付記４）
前記切欠部から前記光源の光を導出させる導光部材を設けたことを特徴とする付記１から３のいずれか一つに記載の筐体構造。
【００３６】
（付記５）
前記切欠部には、前記光源が照光する方向の斜面部を形成したことを特徴とする付記１から４のいずれか一つに記載の筐体構造。
【００３７】
（付記６）
前記切欠部の周囲には、光を反射する反射部を設けたことを特徴とする付記１から５のいずれか一つに記載の筐体構造。
【００３８】
（付記７）
付記１から６のいずれか一つに記載の筐体構造を備えることを特徴とする電子機器。
【符号の説明】
【００３９】
１ 上筐体
２ 下筐体
３ 二軸ヒンジ部
４ カバー
４１ 上面開口部
４２ 側面開口部
５ 上ケース
５４ 遮光兼反射用切欠部
６ 下ケース
７ 中ケース
７２ 係止突起
８ 補強部材
８１ 係止片
８２ 係止孔
８４ 遮光兼反射用切欠部
８５ 斜面部
８６ 電子部品用切欠部
８７ 電子部品用切欠部
８８ 突片部
９ 光源
１０ 第１の導光部材
１１ 第１の照光部
２０ 第２の導光部材
２５ 斜面部
２１ 第２の照光部
【図１】
0005419187.tif 000002
【図２】
0005419187.tif 000003
【図３】
0005419187.tif 000004
【図４】
0005419187.tif 000005
【図５】
0005419187.tif 000006
【図６】
0005419187.tif 000007
【図７】
0005419187.tif 000008
【図８】
0005419187.tif 000009